(57)【要約】【課題】壁面上に見える躯体幅をコンパクトに抑えることができ、静電霧化装置の機能を備えることを目的とする。【解決手段】換気装置２は、躯体７幅と同等寸法の壁６開口及び壁６内部の金枠１０に対して、静電霧化装置２２を備えた外装ケース２３のみを先に金枠１０へ取り付け、次に躯体７を金枠１０へ取り付ける施工手順により、躯体７を金枠１０へ取り付けると同時に、外装ケース２３が接続される構成とすることにより、外装ケース２３の取り付けによる躯体７側面の突出の影響を受けることなく、壁６面上に見える躯体７幅をコンパクトに抑えることができ、静電霧化装置２２の機能を備えた換気装置を得られる。【選択図】図２
2013044501.tif 000002
【特許請求の範囲】
【請求項１】
家屋の屋内壁面に設置する躯体に、空気を取り入れる開口部と、前記開口部から屋内までの送風路と、屋内に空気を送り出す貫流ファンと、前記貫流ファンを強制的に回転させる電動機と、前記送風路の前面に前記貫流ファンを前記電動機によって回転させることによって発生する風を室内に流入させるための給気口を設け、前記躯体側面に静電霧化装置を備えた外装ケースを別パーツで設けた換気装置で、前記換気装置は、躯体幅と同等寸法の壁開口及び壁内部の金枠に対して、外装ケースのみを先に金枠へ取り付け、次に躯体を金枠へ取り付ける施工手順により、躯体を金枠へ取り付けると同時に、外装ケースが接続されることを特徴とする換気装置。
【請求項２】
前記外装ケースは前記躯体との接続部分に接続リブを備え、前記躯体は前記外装ケースとの接続部分に前記接続リブを３面で囲う形状のコの字型スリットを備えることを特徴とする請求項１に記載の換気装置。
【請求項３】
前記外装ケースは、前記躯体の前記コの字型スリットに取り付けられると、前記躯体と接する一面が、前記躯体へ近づく方向へ傾斜していることを特徴とする請求項１または２に記載の換気装置。
【請求項４】
前記躯体と前記外装ケースの接続部分の最下部に、前記外装ケース側には長形スリット、前記躯体側には長形リブを備えていることを特徴とする請求項１〜３のいずれかに記載の換気装置。
【請求項５】
前記外装ケース内に、付加機能を備えることを特徴とする請求項１〜４のいずれかに記載の換気装置。
【発明の詳細な説明】
【技術分野】
【０００１】
本発明は、屋外の空気を取り入れて屋内の換気を行う換気装置に関するものである。
【背景技術】
【０００２】
従来、この種の換気装置は、屋外の新鮮な空気を送風機で吸い込み、屋内と屋外を連通するダクトにより室内に送風する構成となっていた（例えば、特許文献１参照）。
【先行技術文献】
【特許文献】
【０００３】
【特許文献１】特開平７−９１７０１号公報
【発明の概要】
【発明が解決しようとする課題】
【０００４】
このような従来の換気装置においては、静電霧化装置などの機能を備える場合、本体寸法が大きくなり、室内へ露出する本体部分も大きくなるという課題を有していた。
【０００５】
そこで本発明は、上記従来の課題を解決するものであり、静電霧化装置の取り付けによる本体寸法の変化の影響を受けることなく、壁面上に見える本体部分をコンパクトに抑えることができる換気装置を提供することを目的とする。
【課題を解決するための手段】
【０００６】
そして、この目的を達成するために、本発明は、躯体幅と同等寸法の壁開口及び壁内部の金枠に対して、外装ケースのみを先に金枠へ取り付け、次に躯体を金枠へ取り付ける施工手順により、躯体を金枠へ取り付けると同時に、外装ケースが接続される構成としたものであり、これにより所期の目的を達成するものである。
【発明の効果】
【０００７】
本発明によれば、躯体幅と同等寸法の壁開口及び壁内部の金枠に対して、外装ケースのみを先に金枠へ取り付け、次に躯体を金枠へ取り付ける施工手順により、躯体を金枠へ取り付けると同時に、外装ケースが接続される構成にしたことにより、躯体に外装ケース及び静電霧化装置を取り付けた状態では、躯体側面から外装ケースが突出しているが、外装ケースを別パーツで先に施工することで、壁内部へ外装ケースを入り込ませることができ、躯体幅と同等の壁開口に躯体を設置することができるので、外装ケース及び静電霧化装置の取り付けによる躯体側面の突出の影響を受けることなく、壁面上に見える躯体幅をコンパクトに抑えることができ、静電霧化装置の機能を備えることができるという効果を得ることができる。
【図面の簡単な説明】
【０００８】
【図１】本発明の実施の形態１の換気装置を示す斜視図
【図２】同換気装置を示す構成図
【図３】同換気装置を示す背面斜視図
【図４】同換気装置の施工方法を示す斜視図
【図５】同換気装置の外装パーツの施工状態を示す図
【発明を実施するための形態】
【０００９】
本発明の請求項１記載の送風装置は家屋の屋内壁面に設置する躯体に、屋外からの空気を取り入れる開口部と、開口部から屋内までの送風路と、屋内に空気を送り出す貫流ファンと、貫流ファンを強制的に回転させる電動機と、送風路の前面に貫流ファンを電動機によって回転させることによって発生する風を室内に流入させるための給気口を設け、前記躯体側面に静電霧化装置を備えた外装ケースを別パーツで設けた換気装置で、換気装置は、躯体幅と同等寸法の壁開口及び壁内部の金枠に対して、外装ケースのみを先に金枠へ取り付け、次に躯体を金枠へ取り付ける施工手順により、躯体を金枠へ取り付けると同時に、外装ケースが接続される構成を有する。これにより、躯体に外装ケース及び静電霧化装置を取り付けた状態では、躯体側面から外装ケースが突出しているが、外装ケースを別パーツで先に施工することで、壁内部へ外装ケースを入り込ませることができ、躯体幅と同等の壁開口に躯体を設置することができるので、外装ケース及び静電霧化装置の取り付けによる躯体側面の突出の影響を受けることなく、壁面上に見える躯体幅をコンパクトに抑えることができ、静電霧化装置の機能を備えることができるという効果を奏する。
【００１０】
また、外装ケースは躯体との接続部分に接続リブを備え、躯体は外装ケースとの接続部分に接続リブを３面で囲う形状のコの字型スリットを備える構成にしてもよい。これにより、躯体と外装ケースは接続面を３面持ち、風が接続部分から漏れにくい構造となるので、機密性能が高く、施工バラツキによる性能の悪化を抑えることができるという効果を奏する。
【００１１】
また、外装ケースは、躯体のコの字型スリットに取り付けられると、躯体と接する一面が、躯体へ近づく方向へ傾斜している構成にしてもよい。これにより、躯体のコの字型スリットに沿って外装ケースを取り付け、外装ケースが躯体側へ寄せられるに従い、傾斜する一面と躯体との密着が徐々に強まるので、機密性能が高く、施工バラツキによる性能の悪化を抑えることができるという効果を奏する。
【００１２】
また、躯体と外装ケースの接続部分の最下部に、外装ケース側には長形スリット、躯体側には長形リブを備える構成にしてもよい。これにより、躯体と外装ケースが接続される最終段階で、長形リブが長形スリットに差し込まれることにより、躯体と外装ケースの位置関係が固定されるので、施工による設置バラツキを抑えることができるという効果を奏する。
【００１３】
また、外装ケース内に付加機能を備える構成にしてもよい。これにより、外装ケース内に付加機能、例えば、除湿フィルター、加湿装置、マイナスイオン発生装置等を備えることで、様々な付加機能の選択が可能であり、使用者のニーズに対応することができるという効果を奏する。
【００１４】
以下、本発明の実施の形態について図面を参照しながら説明する。
【００１５】
（実施の形態１）
図１に示すように、屋外の外気を屋内１に給気する換気装置２は、屋内１の天井側に上換気装置３、床面側に下換気装置４およびこれらの動作を制御する上換気装置３と下換気装置４の間に制御装置５を設け、屋内１の壁６に埋め込まれて設置されている。この上換気装置３および下換気装置４は、図２に示すように、躯体７の屋内１側の第一面８は開口を有している開口部３１を備え、この開口部３１にはフランジである開口縁９が形成してある。一方、図１に示す壁６内には図２に示す換気装置２を設置するための金枠１０が取り付けられており、開口縁９を金枠１０にねじなどで締結することで図１に示す壁６へ設置される。
【００１６】
図２に示す換気装置２の躯体７内部には送風機を備えている。この送風機は、電動機１１と、電動機１１で駆動する貫流ファン１２とを備え、躯体７の第一面８を塞ぎ、送風機による風を室内へ送り込むための給気口１３を備えた躯体パネル１４と形成している。
【００１７】
具体的には、電動機１１で駆動する貫流ファン１２を設けるとともに、躯体７と躯体パネル１４と貫流ファン１２とで囲まれた送風路１５を形成し、貫流ファン１２の近傍から給気口１３に向かって、躯体７の一部つまり貫流ファン１２が吹き出される下流側が湾曲部１６を形成しており、また、湾曲部１６に対して貫流ファン１２をはさんで対向する位置に躯体パネル１４が設けられている。そして、躯体７の貫流ファン１２が吸い込まれる側の第二面１７に、送風路１５と屋外とを連通するように吸入部１８を開口する。
【００１８】
吸入部１８近傍の送風路１５にはフィルター１９を図１に示す壁６に対して垂直に設ける。また、図２に示す開口縁９及び躯体パネル１４を屋内１側から覆うように吹出パネル２０を取り付ける。
【００１９】
図３に示すように、上換気装置３の湾曲部１６の中央位置には接続開口２１が備えられている。また、静電霧化装置２２を内部に備えた外装ケース２３は、接触する箇所に湾曲部１６に沿う形状を持ち、その端部がＬ字に折れ曲がった接続リブ２４を備えている。さらに、湾曲部１６の接続開口２１周囲にコの字型スリット２５を備えており、外装ケース２３の接続リブ２４をコの字型スリット２５に差し込むことにより、外装ケース２３及び静電霧化装置２２を上換気装置３に取り付けることができる。なお、図２に示すように、外装ケース２３には静電霧化装置２２近傍に流出口２６及び、その下部に流入口２７が備えられており、外装ケース２３が躯体７に取り付けられると、流出口２６及び流入口２７は躯体７の接続開口２１の位置へ配置される。これにより、静電霧化装置２２によって発生する帯電微粒子水が流出口２６から効率よく放出され、さらに送風路１５を通り、上換気装置３から屋内１へ排出される。また、換気装置２と接する外装ケースの接触面２８は、換気装置２の接する面に対して流出口２６側に傾斜しており、換気装置２に取り付けられた状態では、換気装置２へ押さえつけられる方向へ力がかかる構造となっている。また、図３に示すように、換気装置２は外装ケース２３との接続部分の下方に長形リブ２９を備え、さらに外装ケース２３は換気装置２の接続部分の下方に長形スリット３０を備えており、長形リブ２９が長形スリット３０に差し込まれる構造となっている。ここで、長形リブ２９の長手方向は例えば長さは３５ｍｍ、長形スリット３０の長手方向の長さは３８ｍｍである。
【００２０】
上記構成の換気装置２において、電動機１１により貫流ファン１２が回転し、吸入部１８から送風路１５を通って給気口１３へ向かって風が流れることにより、室内に空気を供給する。なお、換気装置２は、吸入部１８を屋内１側の面に設けることにより、屋内１の空気を吸込み、帯電微粒子水を含んだ空気を再度屋内１へ供給する循環装置とすることも可能である。
【００２１】
このような構成によれば、換気装置２は、躯体７幅と同等寸法の壁６開口及び壁６内部の金枠１０に対して、静電霧化装置２２を備えた外装ケース２３のみを先に金枠１０へ取り付け、次に躯体７を金枠１０へ取り付ける施工手順により、躯体７を金枠１０へ取り付けると同時に、外装ケース２３が接続される構成とすることにより、躯体７に外装ケース２３及び静電霧化装置２２を取り付けた状態では、躯体７側面から外装ケース２３が突出しているが、外装ケース２３を別パーツで先に施工することで、壁６内部へ外装ケース２３を入り込ませることができ、躯体７幅と同等の壁６開口に躯体７を設置することができるため、外装ケース２３及び静電霧化装置２２の取り付けによる躯体７側面の突出の影響を受けることなく、壁６面上に見える躯体７幅をコンパクトに抑えることができ、静電霧化装置２２の機能を備えることができる。
【００２２】
ここで、図４、５を用いて換気装置２の施工に関して説明する。図４に示すように、壁６内部に設置されている金枠１０に対して、外装ケース２３を取り付ける。この際、図５に示すように、図中の点線で示している外装ケース２３の一部は壁６内部に入り込む形となる。その後、換気装置２を取り付けることにより、外装ケース２３と換気装置２が接続される。
【００２３】
また、外装ケースは躯体７との接続部分に接続リブ２４を備え、躯体７は外装ケース２３との接続部分に接続リブ２４を３面で囲う形状のコの字型スリット２５を備えることにより、躯体７と外装ケース２３は接続面を３面持ち、風が接続部分から漏れにくい構造となるため、機密性能が高く、施工バラつきによる性能の悪化を抑えることができる。
【００２４】
また、外装ケース２３は、躯体７のコの字型スリット２５に取り付けられると、躯体７と接する一面が、躯体７へ近づく方向へ傾斜している構成とすることにより、躯体７のコの字型スリット２５に沿って外装ケース２３を取り付け、外装ケース２３が躯体７側へ寄せられるに従い、傾斜する一面と躯体７との密着が徐々に強まるため、機密性能が高く施工バラツキによる性能の悪化を抑えることができる。
【００２５】
また、躯体７と外装ケース２３の接続部分の最下部に、外装ケース２３側には長形スリット３０、躯体７側には長形リブ２９を備えている構成とすることにより、躯体７と外装ケース２３が接続される最終段階で、長形リブ２９が長形スリット３０に差し込まれることにより、躯体７と外装ケース２３の位置関係が固定されるため、施工による設置バラツキを抑えることができる。
【００２６】
また、外装ケース２３内に付加機能、例えば、除湿フィルター、加湿装置、マイナスイオン発生装置等を備えることで、送風路１５を流れる空気の一部にこれらの付加機能の効果を与えることができ、様々な付加機能の選択が可能であり、使用者のニーズに対応することができる。
【産業上の利用可能性】
【００２７】
本発明にかかる換気装置は、送風装置は家屋の屋内壁面に設置する躯体に、屋外からの空気を取り入れる開口部と、開口部から屋内までの送風路と、屋内に空気を送り出す貫流ファンと、貫流ファンを強制的に回転させる電動機と、送風路の前面に貫流ファンを電動機によって回転させることによって発生する風を室内に流入させるための給気口を設け、前記躯体側面に静電霧化装置を備えた外装ケースを別パーツで設けた換気装置で、換気装置は、躯体幅と同等寸法の壁開口及び壁内部の金枠に対して、外装ケースのみを先に金枠へ取り付け、次に躯体を金枠へ取り付ける施工手順により、躯体を金枠へ取り付けると同時に、外装ケースが接続される構成を有する。これにより、躯体に外装ケース及び静電霧化装置を取り付けた状態では、躯体側面から外装ケースが突出しているが、外装ケースを別パーツで先に施工することで、壁内部へ外装ケースを入り込ませることができ、躯体幅と同等の壁開口に躯体を設置することができるので、外装ケース及び静電霧化装置の取り付けによる躯体側面の突出の影響を受けることなく、壁面上に見える躯体幅をコンパクトに抑えることができ、静電霧化装置の機能を備えることを可能とするものであるので、従って、住宅用の換気装置として活用が期待されるものである。
【符号の説明】
【００２８】
１    屋内
２    換気装置
３    上換気装置
４    下換気装置
５    制御装置
６    壁
７    躯体
８    第一面
９    開口縁
１０  金枠
１１  電動機
１２  貫流ファン
１３  給気口
１４  躯体パネル
１５  送風路
１６  湾曲部
１７  第二面
１８  吸入部
１９  フィルター
２０  吹出パネル
２１  接続開口
２２  静電霧化装置
２３  外装ケース
２４  接続リブ
２５  コの字型スリット
２６  流出口
２７  流入口
２８  接触面
２９  長形リブ
３０  長形スリット
【図１】
2013044501.tif 000003
【図２】
2013044501.tif 000004
【図３】
2013044501.tif 000005
【図４】
2013044501.tif 000006
【図５】
2013044501.tif 000007